(57)【特許請求の範囲】
【請求項１】
スクロール操作による操作入力と押圧操作による操作入力とを読み取り可能な一体的に構成された操作部と、
前記スクロール操作に応じてスクロールされる選択項目の内容を選択されている状態とともに表示する表示手段と、
前記表示手段に表示された複数のモードから選択された一のモードを選択確定し、この選択確定された一のモードにおける撮影に関連した動作または条件を表す情報を更にスクロールして選択を可能になるように前記操作部の押圧操作に応じて選択確定及び切り替えを行う第１の選択手段と、
前記表示手段に表示された複数の露出に係るデータから選択された一の露出に係るデータを選択確定し、この選択確定された一の露出に係るデータに関連した情報を更にスクロールして選択を可能になるように前記第１の選択手段とは異なる押圧操作に応じて選択確定及び切り替えを行う第２の選択手段と、
前記表示手段に表示された複数のモードを前記操作部のスクロール操作に応じて選択し、前記第１の選択手段による選択確定切り替え後に前記確定されたモードにおける撮影に関連した動作または条件を表す情報を前記操作部のスクロール操作に応じて選択し、前記表示手段に表示された複数の露出に係るデータを前記操作部のスクロール操作に応じて選択し、前記第２の選択手段による選択確定切り替え後に、前記確定された露出に係るデータに関連した情報を前記操作部のスクロール操作に応じて選択する第３の選択手段と、
を具備することを特徴とする撮影情報入力装置。
【請求項２】
前記複数項目のモードは、露出モード、フラッシュモード、測光モード、及びフォーカスモードのうちの何れかを少なくとも含む撮影モードからなることを特徴とする請求項１に記載の撮影情報入力装置。
【請求項３】
前記複数の露出に係るデータは、シャッタ速度、絞り値、露出補正値のうちの何れかを少なくとも含むことを特徴とする請求項１に記載の撮影情報入力装置。
【発明の詳細な説明】
【０００１】
【発明の属する技術分野】
本発明はカメラ等の操作方式に係わり、例えばモード選択の指定入力を行う為の撮影情報入力装置に関する。
【０００２】
【従来の技術】
一般にカメラが備える情報入力手段としては、撮影条件である処のシャッタ速度、絞り値および露出補正値等を多数の専用の操作部材を用いて設定するものが多かった。近年では撮影条件の決定や撮影動作の自動化が進歩したが、一方では、露出モード等の種類の増加に伴って選択しなければならない項目やそれらの専用操作部材も増える傾向にある。
このような現状に対応して、所定の設定対象に限り単一の操作部のみの操作により複数種のマニュアル調整を行え、設定の為のスイッチの個数を減らしてビデオカメラの構造を簡略化できる操作性も改善した技術が特開平８−４３８９９号公報に開示されている。この従来技術によれば、ビデオカメラのマニュアル調整を行う為に本体にローラー状のダイヤルが備えられ、利用者はこのダイヤルを回転させて項目の選択や調整を行い、このダイヤルの軸心の特定の一方向に押圧することにより次なる階層の項目を表示出力したり選択内容の確定を行えるため、その分のスイッチが少なくなると共に確かに構造も簡素化できる。
【０００３】
【発明が解決しようとする課題】
しかしながら、上記のような従来技術では、ダイヤルの回転操作と特定方向への押圧操作とによる２種類の入力指定がビデオカメラに対して行われるものではあるが、調整対象項目の選択やその調整を途中まで行って、決定しないで別の項目を選択したいような場合には、回転操作により例えばメニュ画面等に戻るための例えば『戻る』や『オート』などの項目を選択した後に、再び押圧操作を行うなどの必要があった。この結果、特に再設定や選択の変更の為にはそのダイヤル操作自体が複雑となり、利用者が選択しなければならない項目も操作上増大してしまう。この不具合を解決するため、『戻る』または『オート』に相当する専用スイッチを別途に設けることも考えられるが、こうするとスイッチの個数も増え、ビデオカメラの小型化や低コスト化の要求に反する結果をもたらす。さらに、最近のカメラの高機能化により単純な階層構造で選択項目を構成できないような場合や、設定順序が不特定な場合もあり、このような場合には上記従来技術をカメラ等の入力装置として適用することができなかった。
そこで本発明の目的は、不特定な設定順序で設定を行う場合でも単一の操作部材で快適な操作と設定が可能なカメラの撮影情報入力装置を提供することにある。
【０００４】
【課題を解決するための手段】
本発明は上記した従来技術の問題点と現状に鑑みてなされたものであり、その課題を解決し上記目的を達成するために次のような手段を講じている。すなわち、［１］  スクロール操作による操作入力と押圧操作による操作入力とを読み取り可能な一体的に構成された操作部と、前記スクロール操作に応じてスクロールされる選択項目の内容を選択されている状態とともに表示する表示手段と、前記表示手段に表示された複数のモードから選択された一のモードを選択確定し、この選択確定された一のモードにおける撮影に関連した動作または条件を表す情報を更にスクロールして選択を可能になるように前記操作部の押圧操作に応じて選択確定及び切り替えを行う第１の選択手段と、前記表示手段に表示された複数の露出に係るデータから選択された一の露出に係るデータを選択確定し、この選択確定された一の露出に係るデータに関連した情報を更にスクロールして選択を可能になるように前記第１の選択手段とは異なる押圧操作に応じて選択確定及び切り替えを行う第２の選択手段と、前記表示手段に表示された複数のモードを前記操作部のスクロール操作に応じて選択し、前記第１の選択手段による選択確定切り替え後に前記確定されたモードにおける撮影に関連した動作または条件を表す情報を前記操作部のスクロール操作に応じて選択し、前記表示手段に表示された複数の露出に係るデータを前記操作部のスクロール操作に応じて選択し、前記第２の選択手段による選択確定切り替え後に、前記確定された露出に係るデータに関連した情報を前記操作部のスクロール操作に応じて選択する第３の選択手段とを備える撮影情報入力装置を提供する。
【０００５】
［２］  前記複数項目のモードは、露出モード、フラッシュモード、測光モード、及びフォーカスモードのうちの何れかを少なくとも含む撮影モードからなることを特徴とする［１］に記載の撮影情報入力装置を提供する。
【０００６】
［３］    前記複数の露出に係るデータは、シャッタ速度、絞り値、露出補正値のうちの何れかを少なくとも含むことを特徴とする［１］に記載の撮影情報入力装置を提供する。
【０００７】
【発明の実施の形態】
本発明に係わる複数の実施形態を関連する図面を参照しながら順次説明する。
【０００８】
（第１実施形態）
まず図１に、本発明に係わるすべての実施形態におけるカメラの構造をブロック図で示す。カメラの制御中枢として稼働するメインＣＰＵ１は、この内部に設けられた図示しない例えばＲＯＭに記憶されたプログラムに基づいて、シーケンシャル制御を逐次実行することで周辺の集積回路等を制御して以下の各構成部位の動作を統括的に管理する。表示手段としてのＬＣＤ２は、カメラ本体外面に設けられた液晶表示手段であり、メインＣＰＵ１の制御信号に基づいて各種モード表示やフィルム駒数等の表示等を行う。測距手段の一部としてのＡＦＩＣ３は、オートフォーカス機能関連の構成部位である。これには電荷蓄積型等のセンサ列を有しこのセンサ列上には図示しない撮影レンズを通して入射してくる被写体像を二分割した２像が結像される。これら２像の光強度を所定の量子化処理した値がこのＡＦＩＣ３で形成され、メインＣＰＵ１に転送されると、メインＣＰＵ１により従来技術「位相差検出方法」に基づき得られた値に従って後述のフォーカス装置１７を駆動して撮影レンズのピント調節を行う。
【０００９】
データバック４は、使用中のフィルムに対してメインＣＰＵ１からの信号に基づいて日付け等の写し込みを行う。また、ストロボ５は被写体の輝度が低い場合や逆光状態の場合に被写体にストロボ光を照射するものであり、ＩＳＯ入力装置６はフィルムケース又はフィルムカートリッジからフィルム感度情報を読み取る装置である。
【００１０】
切替え手段としてのＳＷ入力装置７は、不図示のキースイッチと、カメラ動作に応じて開閉切り替えするメカニカルスイッチの動作状態を検出する為の本発明の特徴的な撮影情報入力装置である。上記キースイッチは、カメラのレリーズ、ズームのアップダウンおよびカメラモードの設定等を指示する為の複数のスイッチを有している。このスイッチの内には本発明に係わる後述のダイヤル操作スイッチ（以下、ダイヤルと略称する）も含まれる。
【００１１】
記憶手段としてのＥＥＰＲＯＭ８は、カメラ固有の測光値やＡＦデータ等を補正する為のデータを記憶保持するための不輝発性メモリである。また、受光回路９は、遠隔操作装置１０から受信された光学的な遠隔操作信号を受け波形整形処理してメインＣＰＵ１へ伝送する。なお上記遠隔操作装置１０は、遠隔操作装置上で操作者の設定したデータをカメラ本体に送信したりカメラの露出開始タイミング等を決定するため所定の送信コードを発信するいわゆるリモートコントローラである。
【００１２】
測光回路１１は、撮影レンズを通し入射してきた被写体光の輝度を検出し、自動露出時の絞り値やシャッタ速度値を決定するための回路である。また、モータードライバ１２は、本カメラに内蔵された下記の各モータをメインＣＰＵ１からの信号に基づいて駆動するための集積回路である。例えば、ＬＤＭ１３は撮影レンズ内のフォーカス装置１７を駆動するモータ、ＺＭ１４は撮影レンズの焦点距離を変更するズーム装置１８を駆動するモータであり、ＷＳＭ１５は、フィルムの巻上げを行う巻上装置１９と、シャッタ装置２０内のフォーカルプレーンシャッタを走行させるためのバネチャージと、撮影光線を不図示のファインダに導くかフィルム面に導くかを選択的に動作する不図示のミラー機構とを駆動するモータであり、ＡＶＭ１６は撮影光線を制御するための絞り装置２１を駆動するモータである。
【００１３】
図２に示す回路図は、本発明の情報入力装置に関わる回路の一例である。操作ダイヤルは４つのスイッチＳＷ１，ＳＷ２，ＳＷ３およびＳＷ４を含み、それぞれ抵抗Ｒ１，Ｒ２，Ｒ３およびＲ４でプルアップすることによってスイッチがオンで“Ｌ(Low) ”レベル信号が、スイッチがオフで“Ｈ(High)”レベル信号がそれぞれの端子ＳＷ１０，ＳＷ２０，ＳＷ３０および、ＳＷ４０からＣＰＵ１に出力される。ＳＷ１とＳＷ２は、撮影情報入力装置のダイヤルを回転させると、ダイヤルの所定回転角毎にパルスを発生する。このパルスは二相の相反する信号を発生するのでダイヤルの異なる回動方向を検知して判断することができる。
【００１４】
図３は、上述のダイヤルを回転させた場合のＳＷ１０，ＳＷ２０から出力される信号の様子をタイムチャートで示したものである。ダイヤルをＣ．Ｗ．方向（即ち、時計回り）に回動させた場合は、ＳＷ１０端子から立下がり信号が出力され、このときＳＷ２０端子は、“Ｈ”レベル状態の信号となっている。一方、ダイヤルをＣ．Ｃ．Ｗ．方向（即ち、反時計回り）に回転させた場合は、ＳＷ１０端子から立下がり信号が出力されたとき、ＳＷ２０端子は“Ｌ”レベル状態の信号となっている。このように、ＳＷ１０端子の立下がり信号に同期してＳＷ２０端子の信号レベルを検知すれば、ダイヤルの回転方向を検知することが可能となる。
【００１５】
図４には、回転ダイヤル上の裏側に形成されるＳＷ１，ＳＷ２の構成を示す。導電切片ＳＷ１１は不図示の導線を介してＳＷ１０（図２）に接続され、同様にしてＳＷ２１は不図示の導線を介してＳＷ２０（図２）に接続され、切片ＣＯＭは不図示の導線を介して接地ライン（図２）に接続されている。図中に斜線で示された部位はダイヤル平面上に形成される導通パターンであり、銅箔上に金メッキの薄膜を施して成るものである。この導通パターンと切片ＣＯＭとは常に接触しており、ダイヤルが回動させることによりＳＷ１０やＳＷ２０が図３（Ａ），（Ｂ）で示される波形の信号をそれぞれその方向に応じて発生する。
【００１６】
図５には、回転ダイヤルとＳＷ３および回転ダイヤルが回転軸の垂直方向に押圧された場合に前記ダイヤルが押圧方向に移動してＳＷ３およびＳＷ４がオンするまでの伝達機構の構成を図示している。
ダイヤル３０は、矢印３２または３３の方向に移動可能に支持され、部材３１に対してダイヤル３０は回転可能に一体的に構成されている。一方、部材端部３８は回転軸３７を回転中心として、矢印３４または３５の方向に回動可能に支持され、不図示のバネ力によって、常に矢印３４の方向に付勢されている。また、ＳＷ３は硬質基板３９上に構成されているスイッチであり、硬質基板３９に垂直方向の押圧力が加えられると通電（オン）するように構成されている。同様に、ＳＷ４も硬質基板４５上に構成されているスイッチであり、硬質基板４５に垂直方向の押圧力が加えられるとオンするように構成されている。
したがって、例えばここで、カメラ操作者がこのダイヤル３０を矢印３２の方向に押圧操作すると、部材３１も矢印３２の方向に僅かに平行移動し、部材４２に当接しながら矢印４１の方向に軸心４３のまわりに回動し、部材４２の曲面を有する部材端部４４がＳＷ４を押圧するので電気的に接続されオンする。また同様に、ＳＷ３とダイヤル３０との関係は、このダイヤル３０の押圧方向が前例と反対向き（矢印３３）になるだけで、上述したＳＷ４とダイヤル３０との関係と同様な動作原理によって動くものである。
【００１７】
また図６には、前述の情報入力装置をカメラに適用した例としてのカメラ６０を上方から見た外観図で示している。
カメラ６０の上面には、レリーズ釦６２と表示部６３とが配され、このレリーズ釦６２の軸を共用した上記ダイヤル３０（図５）に対応するダイヤル６１が設けられている。このダイヤル６１はカメラ操作者が右手の指先で操作可能な位置に配置され、時計回り及び反時計回りの双方向に回転可能であると共に、水平方向の矢印６４と矢印６５との両方向に押圧されると可動するように構成されている。
上述の配置による利点の一つは、限られたカメラ本体の空間を有効に利用するために、上記ダイヤル６１に複数の異なる切り替え機能を持たせることで、多数のスイッチ類に代わって等価な役割を果たし、よって、カメラ本体の小型化に合致した配置と同時に、優れた操作性を与えるという利点を有している。
【００１８】
また、図７には上述のダイヤルとは別な配置例を示している。
カメラ７０の背面にはダイヤル７１と表示部７３を配置する。この例では、カメラ上面に配されたレリーズ釦７２とは別にダイヤル７１をカメラの背面に配置している。このダイヤル７１は前述した図６とは異なる位置に設けられてはいるが、やはり右手指によって同様な回転操作が可能であると共に、鉛直方向の矢印７４と矢印７５の双方向にも押圧操作が可能である。
よってこの構成の利点としては、ダイヤル７１がカメラの背面に表示部７３と並んで配されているので、ダイヤル操作とその確認が被写体方向を向いたままでできると共に、表示部７３の面積も許す限り大きく確保できるのでより詳しい情報の表示ができ、しかも見やすくなる利点が生まれる。一方、カメラの上面にはダイヤルや表示部が無いのですっきりした上面のデザインができるという利点もある。
【００１９】
次からは、本発明に係わる第１実施形態としての１つの特徴として「露出モード」について説明する。
まず、図１０は、本発明の第１実施形態でのダイヤル操作に関連した表示の一例であり、露出モードの選択と、露出設定値の選択とを行うために必要な情報が図のように表示出力される。
露出モードには次のようなものがある。すなわち、
・  プログラムモード（Ｐ）：  標準的なプログラム線図に準じた自動露出撮影を行うモード。
・  マニュアル露出モード（Ｍ）：シャッタ速度および露出値を手動で設定して撮影するモード。
・  絞り優先モード（Ａ）：    手動設定された絞り値に応じてシャッタ速度を自動設定し撮影するモード。
・  シャッタ優先モード（Ｓ）：手動設定されたシャッタ速度に応じ絞り値を自動設定し撮影するモード。
・  スポーツモード（Ｐ１）：  高速のシャッタ秒時で撮影するモード。
・  ポートレートモード（Ｐ２）：被写体深度を浅く設定し撮影するモード。
・  風景モード（Ｐ３）：  被写体深度を深く設定して撮影するモード。
・  夜景モード（Ｐ４）：  シャッタ速度の長秒時リミット時間を通常よりも長くして撮影するモード。
以上の８種類の露出モードの選択が次のようなダイヤル操作できる。すなわち、露出モードの選択は、押圧操作（ＳＷ３０）で選択可能状態となり、ダイヤル操作（ＳＷ１０，ＳＷ２０）でこれらの露出モードから撮影に適したモードを選択する。
選択された露出モードでの露出情報の表示および、マニュアル選択による露出データ選択内容も同時に表示され、該データの選択は押圧操作（ＳＷ４０）で選択可能および、選択内容の切換動作を行う。データの選択はダイヤル操作（ＳＷ１０，ＳＷ２０）で行う。
【００２０】
ここで、図８に前記の露出モードの露出データの対応を示す。なお、ＭＯＤＥ０は露出モードを示し、例えば前述したＰ，Ｍ，Ａ，Ｓ，Ｐ１，Ｐ２，Ｐ３およびＰ４の各モードが選択できる。また、ＭＯＤＥ１は露出データのうち第一優先データの内容を表わし、ＭＯＤＥ２は第二優先データの内容を表わしている。それぞれ、選択された露出モード毎に選択可能な露出データと所定の優先順位が予め決められている。なお、当図では、‘ＴＶ’はシャッタ速度を、‘ＡＶ’は絞り値を、そして、‘＋／−’は露出補正値をそれぞれ表わしている。
【００２１】
また、図９に例示する表は、各露出データＥＸＰＤ(Exposive Data) 、即ち、ＴＶ（シャッタ速度）、ＡＶ（絞り値）および、＋／−（露出補正値）のシフト内容を示す。ここで、ＥＸＰＤＬ(Exposive Data Last)は、ＴＶ，ＡＶ，＋／−の最終設定値を各モードと対応させて表している。各データは前述した操作部材（例えばダイヤル）の操作で選択される。
なお、露出データのうちで‘ＴＶ’は、バルブ( Ｂ) と、１５秒〜１／２０００秒までを１／２段ステップで選択し、‘ＡＶ’は、開放絞り値から最小絞り値までを１／２秒ステップで選択する。また、‘＋／−’は、±２段の補正を１／３段ステップで選択する。
【００２２】
図１３には、カメラの『露光処理』サブルーチンをフローチャートで示してある。
まず、所定のスイッチ入力があったか否かを調べ（Ｓ３０１）、スイッチ入力があった場合は前記の露出に関する後述する所定の『ダイヤル処理』を実行して入力データを適宜に選択処理する（Ｓ３０２）。この結果の表示出力を行い（Ｓ３０３）、その後、レリーズスイッチがオンしたか否かを調べ（Ｓ３０４）、もしオンしていない場合は上記ステップＳ３０１に戻る。
一方、レリーズスイッチがオンしている場合には、露光可能か否かを判断し（Ｓ３０５）、もし露光許可した場合は（Ｓ３０６）露光制御を行い（Ｓ３０７）、一連の処理を終了してリターンする（Ｓ３０８）。
【００２３】
また、上記ステップＳ３０６において露光がＯＫ（即ち許可）されない場合は撮影不能表示を出力し（Ｓ３０９）、処理を終了して元のルーチンにリターンする。
【００２４】
図１４には、前述のフローチャート内でコールされた『ダイヤル処理１』サブルーチンを例示している。
まず、現在設定されているモードデータを読み込み（Ｓ４０１）、スイッチＳＷ１０の立下がりが発生したかを調べる（Ｓ４０２）。立下がりが発生している場合は引き続きスイッチＳＷ２０が‘Ｈ’か否かを調べ（Ｓ４０３）、‘Ｈ’レベルの場合はダウン方向にスクロール処理を行い（Ｓ４０４）、‘Ｌ’レベルの場合はアップ方向にスクロール処理を行う（Ｓ４０５）。その後、後述する選択処理を行ってスクロール動作に伴いモード、シャッタ速度、絞り値および露出補正値のうちの所望の値の選択を行い、不図示のメモリに記憶する（Ｓ４０６）。
【００２５】
前記スクロール処理の後か又はＳＷ１０の立下がりが検出されなかった場合、ＳＷ３０の立下がりを調べる（Ｓ４０７）。立下がりが検出された場合は第一方向のプッシュ（押圧）動作が行われた場合で露出モードを選択可能であるモード選択許可状態になり、後述するモード設定処理（Ｓ４０８）を行う。前記処理の後、又は、ＳＷ３０の立下がりが検出されなかった場合、スイッチＳＷ４０の立下がりを調べる（Ｓ４１０）。立下がりが検出された場合は第２方向のプッシュ動作が行われた場合で、シャッタ速度、絞り値、露出補正値を任意の値に選択可能な露出データ選択状態になり、後述する露出データ設定処理（Ｓ４１１）を行う。その後、処理を終了し元のルーチンにリターンする。
【００２６】
図１５のフローチャートには、『モード設定』サブルーチンが示されている。この設定処理は、前述の押圧動作１により選択されたモードへの切換えや切り換えたモードに対応した最終の即ち前回のデータ設定値への変更を行う処理ルーチンである。
まずモード種別を保持するＭＯＤＥを判定し（Ｓ５０１）、もしこのＭＯＤＥが‘ＭＯＤＥ０’即ち「露出モード」である場合は、この選択されているモード毎に露出データの選択可能なものとその優先順位および、最終の設定データの設定を行う。現在選択されている露出モードＭＯＤＥＬが‘Ｓ’又は‘Ｍ’モードの場合は（Ｓ５０２）、ダイヤル選択第一優先モードＭＯＤＥ１に‘ＴＶ’を選択する（Ｓ５０３）。そして、ＭＯＤＥ０を判定し（Ｓ５０４）、ＭＯＤＥ０が‘Ｓ’モードの場合はダイヤル選択第二優先モードＭＯＤＥ２に‘＋／−’を選択し（Ｓ５０５）、前回の設定値を‘ＥＸＰＤＬ’に設定する（Ｓ５０６）。その後、モードを‘ＭＯＤＥ１’に切り換える（Ｓ５０７）。
一方、上記ステップＳ５０４で‘ＭＯＤＥ０’が‘Ｍ’モードの場合は‘ＭＯＤＥ２’に‘ＡＶ’を選択し（Ｓ５０８）、前回の設定値をステップＳ５０９で設定する。
【００２７】
同様に、ステップＳ５１０では、ＭＯＤＥＬが‘Ａ’モードか否かを調べ（Ｓ５１０）、もしＭＯＤＥＬが‘Ａ’の場合は、ＭＯＤＥ１を‘ＡＶ’に設定し（Ｓ５１１）、ＭＯＤＥ２を‘＋／−’に設定する（Ｓ５１２）。そして、前回の設定値を設定する（Ｓ５１３）。
一方、上記ステップＳ５１０でＭＯＤＥＬが‘Ａ’以外の場合は、ＭＯＤＥ１およびＭＯＤＥ２を共に‘＋／−’に設定する（Ｓ５１４，Ｓ５１５）。そしてまた、前回の設定値を設定する（Ｓ５１６）。
【００２８】
以上の処理の後、モード設定の初期状態としてステップＳ５０７で‘ＭＯＤＥ’を‘ＭＯＤＥ１’に切り換える。また、ステップＳ５０１で露出モードが選択されていない場合は、そのまま処理を終了する。
【００２９】
図１６に示すフローチャートは、『選択処理』サブルーチンである。この処理はダイヤルシフト動作により選択される値を設定するため次の様に行われる。
【００３０】
まず、ＭＯＤＥが‘ＭＯＤＥ０’か否かを調べ（Ｓ６０１）、‘ＭＯＤＥ０’、即ち露出モードの場合は、シフト情報に対応した方向と大きさ分、露出モードのシフトを行い（Ｓ６０２）、ダイヤルが停止した位置の値を最終値‘ＭＯＤＥＬ’に設定する（Ｓ６０３）。
一方、ステップＳ６０１の条件が成り立たない場合は、既に露出モードが選択されている場合で、選択可能な変数に応じたシフト選択を行う。すなわち、露出データの判定を行い（Ｓ６０４）、もし露出データＥＸＰＤがシャッタ秒時‘ＴＶ’の場合は、ＴＶシフトによる選択を行い（Ｓ６０５）、ＴＶの設定値を‘ＥＸＰＤＬ’へ記憶する。また、ＥＸＰＤが絞り値データ‘ＡＶ’のときは（Ｓ６０７）、ＡＶシフトによる絞り値選択を行い（Ｓ６０８）、ＡＶの設定値をＥＸＰＤＬへ記憶する。
しかしＥＸＰＤが前記以外の場合は、露出補正値データ＋／−シフトによる補正値選択を行い（Ｓ６１０）、補正値の設定値“Ｌ”をＥＸＰＤＬへ記憶する（Ｓ６１１）。そして、当サブルーチンを終了しリターンする。
【００３１】
図１９には、『露出データ設定』サブルーチンの処理手順を示している。この設定処理は、前述したプッシュ動作２による露出データ設定を行うものであり、選択可能な露出データを入れ替える。即ち、現在優先してダイヤル選択されているものと現在選択していない露出データとを入れ替えてダイヤル操作によりその内容を選択可能とする。
まずステップＳ９０１で露出モードＭＯＤＥの種類を調べ（Ｓ９０１）、もし‘ＭＯＤＥ０’の場合は、当設定処理とは関係のない状態なので処理を終了してリターンする。それ以外のモードの場合は、続くステップＳ９０２でＭＯＤＥ＝‘ＭＯＤＥ１’か否かを調べ（Ｓ９０２）、もしＭＯＤＥが‘ＭＯＤＥ１’の場合は‘ＭＯＤＥ２’の露出データへ変更し（Ｓ９０３）、続いて、最新の値を‘ＥＸＰＤＬ’に設定する（Ｓ９０４）。
同様に、上記ステップＳ９０２でＭＯＤＥが‘ＭＯＤＥ１’でない場合は、ＭＯＤＥを‘ＭＯＤＥ１’状態とし（Ｓ９０５）、続いて最新の値を‘ＥＸＰＤＬ’へ設定する（Ｓ９０６）。そして当サブルーチンを終了しリターンする。
【００３２】
（作用効果１）
本発明のカメラの撮影情報入力装置によれば、次のような効果が得られる。
（効果１）：  単一の操作手段に、異なる３つの選択入力手段を配置したことで、複雑で高度な撮影情報の選択・入力を簡単な操作によって自由に行うことが可能となる。また、撮影情報入力装置自体も小型に構成できる。よって、カメラの小型・軽量化が可能となる。
（効果１' ）：  撮影モード、露出情報および、これらに関連した撮影情報の選択や入力が、個々独立した選択入力手段の操作により独立的に行える。よって、操作方法が解り易く、また操作性も良好となる。
【００３３】
（第２実施形態）
次に、本発明に係わる第２実施形態としての特徴として「多種モードの選択」について説明する。本実施形態におけるカメラの撮影情報入力装置も前述の第１実施形態での装置構成と同様な装置において実施される。
図１１には、ダイヤル操作で選択可能な本第２実施形態の表示部における表示例であり、露出モード、ドライブモード（ＤＲＶ）／フラッシュモード（ＦＬＳ）、および測光モード（ＡＥ）／フォーカスモード（ＡＦ）の各設定と、露出データである処のシャッタ速度、絞り値および露出補正値等の選択的な表示出力を行う。ここで、各モードの選択許可と選択されたモードによるデータの許可の切換えは押圧動作１（押圧１と略称す）即ちＳＷ３０のオン／オフで行い、露出データの選択許可および切換えは押圧動作２（押圧２と略称す）即ちＳＷ４０のオン／オフで行う。選択された各モードの内容選択はダイヤルの回動操作で行う。
【００３４】
なお、上記の多種に及ぶモードはそれぞれ次のように定義されている。
・  露出モード：            絞り、シャッタ速度、露出補正値等の露出に関する情報を選択するモード。
・  ドライブモード（ＤＲＶ）：１コマ撮影、連続撮影、２重露光撮影等、カメラの撮影動作を選択するモード。
・  フラッシュモード（ＦＬＳ）：自動発光、赤目軽減発光、強制発光、発光禁止等、フラッシュの発光条件を選択するモード。
・  測光モード（ＡＥ）：    平均測光、スポット測光等、被写体の測光条件を選択するモード。
・  フォーカスモード（ＡＦ）：シングルＡＦ（但し一発でロック）、
コンティニュアスＡＦ（即ち繰返し測距）等、測距動作条件を選択するモード。
【００３５】
また、一般に撮影モードとは、上記の露出モード（この中にはスポーツモード等がある）、ドライブモード／フラッシュモード、測光モードなどを含む。
【００３６】
さらに、露出情報や撮影情報とは次のものを含んだものである。
・  露出情報：  シャッタ速度、絞り値、露出補正値など。
・  撮影情報：  第３の選択入力手段で選択する撮影情報は、例えばシャッタ速度が選択されている場合には、1/2000, 1/4000, 1/125 など。但し、ここで言う「撮影情報」とは上記撮影モードや露出情報を含む最上位概念として用いている。
【００３７】
図１７のフローチャートには、本実施形態の『ダイヤル処理２』ルーチンを一例として例示している。ただし、ステップＳ７１０〜Ｓ７１６までは前述した図１４中のステップＳ４０１〜Ｓ４０６と等価な処理であるので説明は省略する。
【００３８】
まず、ステップＳ７１６で押圧スイッチＳＷ３０が立ち下がったか否かを調べ、立下がりが検出された場合は選択モード‘ＭＳＥＬ’が露出モード選択許可を表わす‘ＭＳＥＬ０’か否かを調べる（Ｓ７１７）。もし、‘ＭＳＥＬ０’の場合は露出データを選択する‘ＭＳＥＬ１’に変更し（Ｓ７１９）、一方, ‘ＭＳＥＬ１’の場合は‘ＭＳＥＬ０’に変更する（Ｓ７１８）。つまり、押圧動作毎に前記２つの選択許可状態に切り換える。
【００３９】
その後、データ設定処理を行い、‘ＭＯＤＥ’を‘ＭＯＤＥ０’にデータ設定する（Ｓ７２０）。その後、ステップＳ７２１に進み、ＳＷ４０の立下がりを調べ（Ｓ７２１）、立下がりが検出された場合は前述同様に露出データの設定を行う（Ｓ７２２）。そして前回設定されたデータ数値の設定を行い（Ｓ７２３）、当該『ダイヤル処理２』ルーチンから元のルーチンにリターンする。
【００４０】
（作用効果２）
（効果２）：  ダイヤル操作による「多種モードの選択」によって、撮影モード、露出情報および、これらに関連した撮影情報の選択や入力が、個々独立して行え、またこのダイヤルを含む選択入力手段の適宜操作により独立的に行えるので、操作方法が解り易く、更に操作性も良好となる。
【００４１】
（第３実施形態）
また、本発明に係わる第３実施形態としての特徴として「アップダウンスクロール」について説明する。なお、本実施形態におけるカメラの撮影情報入力装置も前述の第１，２実施形態での装置構成と同様な装置において実施される。
図１２には、本第３実施形態におけるダイヤル操作で選択可能な表示内容を例示している。本実施形態はダイヤル操作で選択内容の表示された横方向のスクロール動作を行い、押圧１と押圧２の２つの押圧操作によってモード表示のスクロールを行って上下方向（即ち「アップダウン」）の操作で選択する。
すなわち、本第３実施形態における特徴の１つは、「モード選択」と「データ選択」とでスイッチ機能を分離した事と、ダイヤルで横方向の選択移動、二種類の押圧方向で縦方向の選択移動を行う事とが、前述した第１又は第２実施形態とは異なり、その使用法について提案している。
【００４２】
ここで、「モード選択」の内容としては、例えば、露出モード、ドライブモードおよびフラッシュモードを主に対象としており、これらのモードから１つの選択を行う。また、「データ選択」とは前述した各種モード毎の選択を行うことを意味する。そこで次に、具体的な選択にともなう処理手順について説明する。
【００４３】
図１８には、本実施形態の『ダイヤル処理３』の処理手順を示している。なお、ステップＳ８０１〜Ｓ８０６での処理は前述した図１７のステップＳ７０１〜Ｓ７０６と等価な処理なのでここでの説明は省略する。
ステップＳ８０７ではＳＷ３０の立下がりを調べ（Ｓ８０７）、もし立下がりが検出された場合はモード選択のダウン方向スクロール処理を行い（Ｓ８０８）、続いて、選択した前回のデータを設定し（Ｓ８０９）、続くステップＳ８１０へ進む。
上記ステップＳ８１０ではＳＷ４０の立下がりを調べ（Ｓ８１０）、もし検出した場合はモード選択のアップ方向スクロール処理を行い（Ｓ８１１）、続いて、選択したモードに対応する前回のデータを設定し（Ｓ８１２）、一連の処理を終了してリターンする。
【００４４】
（作用効果３）
（効果３）：  ダイヤル操作の「アップダウンスクロール」によって、表示されている複数の撮影モードの中から、所定の「押圧操作」により順次選択または指定入力できるので、所定の「回転操作」との組み合わせにより、２次元的に配置して表示した撮影情報から操作性よく選択または変更表示を行うことができる。
【００４５】
（その他の変形例）
この他にも、本発明の要旨を逸脱しない範囲で種々の変形実施が可能である。
【００４６】
以上、複数の実施形態を例に説明してきたが、本明細書中には次の発明が含まれている。すなわち、
［１］  カメラに対して撮影モードなどの撮影情報の選択または入力を行うカメラの撮影情報入力装置において、
回転操作と押圧操作が可能な操作手段と、
前記操作手段を、第１の方向に押圧することにより動作する第１の選択入力手段と、
前記第１の方向とは異なる第２の方向に押圧することにより動作する第２の選択入力手段と、
回転することにより動作する第３の選択入力手段と、
を具備することを特徴とするカメラの撮影情報入力装置。
（効果１）：  単一の操作手段に、異なる３つの選択入力手段を配置したことで、複雑で高度な撮影情報の選択・入力を簡単な操作によって自由に行うことが可能となる。また、撮影情報入力装置自体も小型に構成できるので、カメラの小型・軽量化が可能となる。
【００４７】
［２］  撮影モードの選択または入力を行うための前記第１の選択入力手段と、露出情報の選択または入力を行うための前記第２の選択入力手段と、
これら第１又は第２の選択入力手段での選択内容に応じた撮影情報の選択または入力を行うための前記第３の選択入力手段と、
を具備することを特徴とする［１］に記載のカメラの撮影情報入力装置。
なお、この［２］は第１，２実施形態に対応する。
（効果２）：  撮影モード、露出情報および、これらに関連した撮影情報の選択や入力が、個々独立した選択入力手段の操作により独立的に行えるので、操作方法が解り易く、また操作性も良好である。
【００４８】
［３］  複数の撮影モードを表示した表示手段と、
前記表示手段に表示された撮影モードを所定の順序で選択または入力するための前記第１の選択入力手段と、
前記第１の選択入力手段の選択順序と異なる方向に前記撮影モードを選択または入力するための第２の選択入力手段と、
前記第１又は第２の選択入力手段での選択内容に応じた撮影情報の選択または入力を行うための第３の選択入力手段と、
を具備することを特徴とする［１］に記載のカメラの撮影情報入力装置。
なお、この［３］は第３実施形態に対応する。
（効果３）：  表示されている複数の撮影モードの中から、所定の「押圧操作」により順次選択または指定入力できるので、所定の「回転操作」との組み合わせにより、２次元的に配置して表示した撮影情報から操作性よく選択または変更表示を行うことができる。
【００４９】
また、このほかに次のような発明も含まれる。
（１）  カメラに対して撮影モードなどの撮影情報の選択または入力を行うカメラの撮影情報入力装置において、
所定の回転操作と押圧操作が可能な操作手段と、
この操作手段を、第１の方向に押圧することにより動作する第１のスイッチと、上記第１の方向とは異なる第２の方向に押圧することにより動作する第２のスイッチと、回転することにより動作する第３のスイッチと、
を有することを特徴とするカメラの撮影情報入力装置。
（２）  上記第１のスイッチは撮影モードの選択または入力を行い、上記第２のスイッチは露出情報の選択または入力を行い、上記第３のスイッチはこれら第１又は第２のスイッチでの選択内容に応じた撮影情報の選択または入力を行う上記（１）に記載の撮影情報入力装置。
（３）  上記露出情報は、シャッタ速度、絞り値、または露出補正値のいずれかを含む（２）に記載の撮影情報入力装置。
（４）  上記撮影モードは、露出モード（スポーツモード等を含む）、ドライブモード／フラッシュモード、測光モードなどのいずれかを含む（２）に記載の撮影情報入力装置。
（５）  上記第１または第２のスイッチを操作した場合には、最初に、以前に選択した撮影情報を設定する（２）に記載の撮影情報入力装置。
（６）  上記第３のスイッチは、回転方向に応じた異なる信号を出力する（１）に記載の撮影情報入力装置。
（７）  上記第１のスイッチは使用頻度の高い撮影情報の選択または入力を行い、上記第２のスイッチは上記第１のスイッチよりも使用頻度の低い撮影情報の選択または入力を行う（１）に記載の撮影情報入力装置。
（８）  使用頻度の高い撮影情報は表示手段に絵的表示される（７）に記載の撮影情報入力装置。
（９）  選択可能な撮影情報を記憶した記憶手段を有する（１）に記載の撮影情報入力装置。
【００５０】
（１０）  回転動作と押圧動作が単一の操作部材で可能なカメラの入力装置において、
第１の方向に押圧可能な第１の押圧手段と、
前記第１の押圧手段と異なる方向に押圧可能な第２の押圧手段と、
を有し、回転と複数方向に押圧可能なダイヤルスイッチを有することを特徴とする入力装置。
（１１）  回転動作と押圧動作が単一の操作部材で可能なカメラの入力装置において、
第１の方向の押圧動作で撮影モードの選択が可能な撮影モード選択手段と、
前記第１の方向とは異なる第２の方向の押圧動作で露出情報の選択が可能な露出情報選択手段と、
前記第１と第２の押圧手段のいづれかで選択された内容に対して、回転操作で該選択内容に応じた撮影情報の選択が可能な撮影情報選択手段と、
を有し、モードと情報選択とを独立して操作できることを特徴とする入力装置。
【００５１】
（１２）  回転動作と押圧動作が単一の操作部材で可能なカメラの入力装置において、
操作部材の操作に関する情報を表示する表示手段と、
回転動作に応じて前記表示手段の第１の方向に表示された内容を選択する第１の選択手段と、
第１の押圧方向に応じて前記表示手段の第２の方向に表示された内容を選択する第２の選択手段と、
第２の押圧方向に応じて前記第２の選択手段の選択内容と同一で、選択方向が逆方向に選択可能な第３の選択手段と、
を有し、回転に伴うアップダウンスクロール表示することを特徴とする入力装置。
【００５２】
（１３）（１１）において、上記露出情報選択手段で選択される情報は、シャッタ秒時、絞り値、露出補正値の内のいずれかを含む。
（１４）（１１）において、上記撮影モード選択手段または露出情報選択手段で選択可能とした場合、前記選択可能とした情報に対応する撮影情報のうち、前回に指定した撮影情報を設定することを特徴とする。
【００５３】
【発明の効果】
以上のように、本発明のカメラの撮影情報入力装置によれば、従来複雑であったり、将来的に増加するであろう不特定な順序での設定を行う必要がある場合であっても良好に適応でき、本装置が備える単一の操作部材（例えばダイアル）だけで簡単で快適な設定操作が可能となるようなカメラの撮影情報入力装置を提供することができる。
【図面の簡単な説明】
【図１】図１は、本発明のすべての実施形態におけるカメラの構成を示すブロック図。
【図２】図２は、本発明の情報設定装置に関わる回路図。
【図３】図３は、ダイヤル回転時の各スイッチからの出力信号を示すタイムチャート。
【図４】図４は、ダイヤルに形成された各スイッチを概略的に示す平面図。
【図５】図５は、ダイヤルと各スイッチの位置および、回転軸の押圧方向と伝達機構の構成を示す断面図。
【図６】図６は、カメラ上部に情報入力装置を適用した外観図。
【図７】図７は、カメラ背面部に情報入力装置を適用した外観図。
【図８】図８は、露出モードにおける露出データの対応を示す一覧表。
【図９】図９は、各露出データのシフト内容を示す一覧表。
【図１０】図１０は、第１実施形態のダイヤル操作で選択可能な表示レイアウト。
【図１１】図１１は、第２実施形態のダイヤル操作で選択可能な表示レイアウト。
【図１２】図１２は、第３実施形態のダイヤル操作で選択可能な表示レイアウト。
【図１３】図１３は、『露光処理』サブルーチンを示すフローチャート。
【図１４】図１４は、『ダイヤル処理１』サブルーチンを示すフローチャート。
【図１５】図１５は、『モード設定』サブルーチンを示すフローチャート。
【図１６】図１６は、『選択処理』サブルーチンを示すフローチャート。
【図１７】図１７は、『ダイヤル処理２』サブルーチンを示すフローチャート。
【図１８】図１８は、『ダイヤル処理３』サブルーチンを示すフローチャート。
【図１９】図１９は、『露出データ設定』サブルーチンを示すフローチャート。
【符号の説明】
１…メインＣＰＵ、
２…ＬＣＤ表示装置、
３…ＡＦＩＣ、
４…データバック、
５…ストロボ、
６…ＩＳＯ入力装置、
７…ＳＷ入力装置、
８…ＥＥＰＲＯＭ、
９…受光回路、
１０…遠隔操作装置、
１１…測光回路、
１２…モータドライバ、
１３…ＬＤＭ（レンズ駆動モータ）、
１４…ＺＭ（ズームモータ）、
１５…ＷＳＭ（巻上げモータ）、
１６…ＡＶＭ（絞り駆動モータ）、
１７…フォーカス装置、
１８…ズーム装置、
１９…巻上げ装置、
２０…シャッタ装置、
２１…絞り装置、
３０，６１，７１…ダイヤル、
３１…部材（ダイヤル側接点部材）、
３７，４３…軸心、
３８，４４…部材端部（Ｌ型部材の接点部）、
３９，４５…硬質基板、
４２…部材（Ｌ型部材）、
７３…表示部、
ＳＷ１，ＳＷ２，ＳＷ３，ＳＷ４…スイッチ、
Ｓ３０１〜Ｓ３０９…『露光処理』ルーチンの処理ステップ、
Ｓ４０１〜Ｓ４１１…『ダイヤル処理１』ルーチンの処理ステップ、
Ｓ５０１〜Ｓ５１６…『モード設定』ルーチンの処理ステップ、
Ｓ６０１〜Ｓ６１１…『選択処理』ルーチンの処理ステップ、
Ｓ７１０〜Ｓ７２３…『ダイヤル処理２』ルーチンの処理ステップ、
Ｓ８０１〜Ｓ８１２…『ダイヤル処理３』ルーチンの処理ステップ、
Ｓ９０１〜Ｓ９０６…『選択処理』ルーチンの処理ステップ。
【図１】
0003929095.tif 000002
【図２】
0003929095.tif 000003
【図３】
0003929095.tif 000004
【図４】
0003929095.tif 000005
【図５】
0003929095.tif 000006
【図６】
0003929095.tif 000007
【図７】
0003929095.tif 000008
【図８】
0003929095.tif 000009
【図９】
0003929095.tif 000010
【図１０】
0003929095.tif 000011
【図１１】
0003929095.tif 000012
【図１２】
0003929095.tif 000013
【図１３】
0003929095.tif 000014
【図１４】
0003929095.tif 000015
【図１５】
0003929095.tif 000016
【図１６】
0003929095.tif 000017
【図１７】
0003929095.tif 000018
【図１８】
0003929095.tif 000019
【図１９】
0003929095.tif 000020